(57)【要約】【課題】複数枚のタイルを壁面に対してまとめて一度に取り付けることができ、しかも、ビスなどの固定具で容易に取り付けることができ、その取り付け強度の確保も容易で見栄えも良好なタイルパネルを提供すること。【解決手段】タイルパネル１は、裏面側を取付対象箇所に向けて、取付対象箇所に固定される下地パネル２と、下地パネル２の表面側に取り付けられた複数のタイル３を備えている。複数のタイル３のうち、いくつかのタイルは下地パネル２に対して着脱可能なタイル３ａであり、残りのタイルは固着されているタイル３ｂである。下地パネル２の着脱可能なタイル３ａが取り外された箇所に、下地パネルの表面側から裏面側へと貫通して取付対象箇所に達する固定具で固定した後、着脱可能なタイル３ａを取り付けると固定具を覆い隠すことができる。【選択図】図１
2011252347.tif 000002
【特許請求の範囲】
【請求項１】
表裏両面のうち、裏面側を取付対象箇所に向けた状態で、前記取付対象箇所に固定される下地パネルと、前記下地パネルの表面側に取り付けられた複数のタイルとを備え、  前記複数のタイルのうち、いくつかのタイルは前記下地パネルに対し着脱可能に取り付けられる一方、残りのタイルは前記下地パネルに対し固着されており、
しかも、前記下地パネルは、前記着脱可能なタイルが取り外された箇所において前記下地パネルを表面側から裏面側へと貫通して前記取付対象箇所に達する固定具で、前記取付対象箇所に対して固定可能に構成され、
当該下地パネルが前記取付対象箇所に固定された後、前記着脱可能なタイルが取り外された箇所に前記着脱可能なタイルを取り付けると、当該取り付けられたタイルで前記固定具が覆い隠される構造になっている
ことを特徴とするタイルパネル。
【請求項２】
前記着脱可能なタイルは、面ファスナを介して前記下地パネルに取り付けられている  ことを特徴とする請求項１に記載のタイルパネル。
【請求項３】
前記複数のタイルは、前記下地パネル側とは反対側にある面が、凹凸を有する形状とされている
ことを特徴とする請求項１又は請求項２に記載のタイルパネル。
【請求項４】
前記複数のタイルは、隣り合う位置にあるタイルについて、前記下地パネルの表面に垂直な方向の寸法が、異なる寸法とされている
ことを特徴とする請求項１〜請求項３のいずれか一項に記載のタイルパネル。
【請求項５】
前記下地パネルの表面のうち、前記下地パネルの周縁部の一部又は全部には、前記タイルが取り付けられていない領域が設けられている
ことを特徴とする請求項１〜請求項４のいずれか一項に記載のタイルパネル。
【発明の詳細な説明】
【技術分野】
【０００１】
本発明は、タイルパネルに関する。
【背景技術】
【０００２】
従来、壁面にタイルを取り付けるための施工方法としては、モルタル又は接着剤を用いて作業者が壁面にタイルを一枚ずつ手で取り付ける方法がある。
しかし、上記のような施工方法の場合、複数のタイルをきれいに整列させて取り付ける作業には熟練を要し、初心者では適正な施工作業を行うことが困難であったり、多大な施工時間がかかったりする、という問題がある。
【０００３】
また、こうした問題に対し、複数枚のタイルの位置決めが可能なタイル張付施工用シートを利用して、建築現場でタイルをパネルに固定してタイルパネルとし、そのタイルパネルを建築躯体に固定する技術も提案されている（例えば、特許文献１参照。）。
【０００４】
このタイル張付施工用シートは、タイルと壁面の間に介在する格子状のシートであり、タイルの設置位置を決めるためにタイル端面と接触する爪片を有している。複数枚のタイルは、シート上の爪片によって予め決められた位置に並べられ、モルタル等の固着着剤でパネルに固定され、これにより、タイルパネルが構成され、このタイルパネルが建築躯体に固定される。
【先行技術文献】
【特許文献】
【０００５】
【特許文献１】特開平０６−２６１７３号公報
【発明の概要】
【発明が解決しようとする課題】
【０００６】
しかしながら、上記従来のタイル張付施工用シートを利用する工法においても、建築現場でタイルをパネルに固定した後、タイルパネルを建築躯体に固定する前には、モルタル等の固着剤が固化して所定の強度が得られる状態となるまで養生が必要である。そのため、養生が完了するまでは次の作業へ移行できないことから、作業の円滑な進行をはかることができない、という問題があった。
【０００７】
また、タイルパネルを柱や間柱などに対してビスで固定しようとする場合、パネル上のタイルが張り付けられている領域にはビスをねじ込むことができない。そのため、比較的広範囲にわたってタイルが張り付けられている場合には、その周囲でビス留めをするか、タイル間に隙間を設けてビス留めせざるを得ず、前者の場合は取り付け強度が不足しやすく、後者の場合は見栄えが悪い、という問題があった。
【０００８】
本発明は、上記問題を解決するためになされたものであり、その目的は、複数枚のタイルを壁面に対してまとめて一度に取り付けることができ、しかも、ビスなどの固定具で容易に取り付けることができ、その取り付け強度の確保も容易で見栄えも良好なタイルパネルを提供することにある。
【課題を解決するための手段】
【０００９】
以下、本発明において採用した構成について説明する。
上述の目的を達成するために、請求項１に記載のタイルパネルは、表裏両面のうち、裏面側を取付対象箇所に向けた状態で、前記取付対象箇所に固定される下地パネルと、前記下地パネルの表面側に取り付けられた複数のタイルとを備え、前記複数のタイルのうち、いくつかのタイルは前記下地パネルに対し着脱可能に取り付けられる一方、残りのタイルは前記下地パネルに対し固着されており、しかも、前記下地パネルは、前記着脱可能なタイルが取り外された箇所において前記下地パネルを表面側から裏面側へと貫通して前記取付対象箇所に達する固定具で、前記取付対象箇所に対して固定可能に構成され、当該下地パネルが前記取付対象箇所に固定された後、前記着脱可能なタイルが取り外された箇所に前記着脱可能なタイルを取り付けると、当該取り付けられたタイルで前記固定具が覆い隠される構造になっていることを特徴とする。
【００１０】
このように構成されたタイルパネルによれば、複数のタイルのうち、下地パネルに固着されたタイルについては、その数がいくつであっても、下地パネルを取付対象箇所に固定するだけで、まとめて一度に固定することができる。したがって、同数のタイルをそれぞれ個別に取付対象箇所に固定する場合に比べ、作業性を向上させることができる。
【００１１】
しかも、下地パネルを取付対象箇所に固定する際には、上述のような固定具で下地パネルを固定することができ、その固定後に、下地パネルに対し着脱可能とされているいくつかのタイルを下地パネルに取り付ければ、固定作業が完了する。
【００１２】
したがって、取付け施工後に養生が必要となるモルタルや接着剤等は使用せずに済み、そのような養生が不要となる分だけ、より早期に次の作業工程に進むことができるので、作業の効率化を図ることができる。また、接着剤を使用する場合とは異なり、接着剤から揮発する成分を作業者が吸引してしまうおそれがないので、施工現場においては、接着剤ほど換気に注意しなくてもよくなり、揮発分の少ない接着剤を選定するといった面倒な配慮も不要となる。
【００１３】
さらに、下地パネルが取付対象箇所に固定された後、着脱可能なタイルを下地パネルに取り付けると、その取り付けられたタイルで固定具が覆い隠される。したがって、タイルが設けられた範囲内にも固定具による固定箇所が存在するので、タイルパネルの取り付け強度を十分に確保することができる。また、タイル間に固定箇所が存在するものとは異なり、固定具が外観上見える状態のままにならないので、タイル周りの見栄えを良好なものとすることができる。
【００１４】
請求項２に記載のタイルパネルは、請求項１に記載のタイルパネルにおいて、前記着脱可能なタイルが、面ファスナを介して前記下地パネルに取り付けられることを特徴とする。
【００１５】
このようなタイルパネルによれば、面ファスナを利用してタイルを自由に取り付けたり取り外したりすることができる。したがって、例えば、タイルパネルの取付け作業完了後に、タイルパネルの取付位置を僅かに変更するような微調整がしたい場合でも、容易にタイルパネルの取り外し作業を行うことができる。
【００１６】
請求項３に記載のタイルパネルは、請求項１又は請求項２に記載のタイルパネルにおいて、前記複数のタイルは、前記下地パネル側とは反対側にある面が、凹凸を有する形状とされていることを特徴とする。
【００１７】
このように構成されたタイルパネルによれば、複数のタイルは、下地パネル側とは反対側にある面が凹凸を有する形状とされているので、下地パネル側とは反対側にある面が凹凸のない平らな面とされている場合に比べ、いくつかのタイルが他のタイルより出っ張っていたり凹んでいたりしても、そのような出っ張りや凹みを目立たなくすることができる。
【００１８】
したがって、下地パネルに対し着脱可能に取り付けられるタイルが、周囲のタイルよりもいくらか浮き上がっていたり沈み込んでいたりしても、周囲のタイルと見栄えがあまり変わらないようにすることができる。
【００１９】
さらに、請求項４記載のタイルパネルのように、前記複数のタイルは、隣り合う位置にあるタイルについて、前記下地パネルの表面に垂直な方向の寸法が、異なる寸法とされている構造とすることもできる。
【００２０】
このように構成されたタイルパネルであれば、複数のタイルは、下地パネルの表面に垂直な方向の寸法が、隣り合う位置において異なる寸法になっているので、この寸法が同一寸法とされている場合に比べ、あるタイルが隣のタイルより出っ張っていたり凹んでいたりしても、そのような出っ張りや凹みを目立たなくすることができる。
【００２１】
したがって、下地パネルに対し着脱可能に取り付けられるタイルが、隣のタイルよりもいくらか浮き上がっていたり沈み込んでいたりしても、隣のタイルと見栄えがあまり変わらないようにすることができる。
【００２２】
請求項５記載のタイルパネルは、請求項１〜請求項４のいずれか一項に記載のタイルパネルにおいて、前記下地パネルの表面のうち、前記下地パネルの周縁部の一部又は全部には、前記タイルが取り付けられていない領域が設けられていることを特徴とする。
【００２３】
このように構成されたタイルパネルによれば、下地パネルの周縁部の一部又は全部にタイルが取り付けられていない領域が設けてあるので、この領域を利用しても、固定具を用いてタイルパネルを取付対象箇所へ取付けることができる。
【００２４】
しかも、タイルのない領域が下地パネルの周縁部に存在するので、タイルパネルの周囲にある部分から上記タイルのない領域に至る範囲にわたって連続するクロス等を貼り付けることで、上記タイルのない領域にある固定具やタイルパネルとその周囲にある部分との境界を覆い隠すことができる。
【図面の簡単な説明】
【００２５】
【図１】（ａ）はタイルパネルを示す正面図、（ｂ）は壁材に取付けられたタイルパネルを示す平面図、（ｃ）は壁材に取付け前のタイルパネルを示す平面図。
【図２】図１（ａ）の施工方法を示す平面図。
【図３】タイル取付け施工方法の一実施例の説明図。
【図４】タイルパネルの施工例を示す正面図。
【図５】タイルパネルの施工例を示す平面図。
【図６】タイルパネルの周囲にある部分から無タイル領域に至る範囲にわたって連続するクロスを貼り付けた施工例を示す正面図。
【図７】図６にＡ−Ａ線で示した切断面における断面図。
【図８】は厚さの異なるタイルが壁材に取付けられた、タイルパネルを示す平面図。
【発明を実施するための形態】
【００２６】
次に、本発明の実施形態について一例を挙げて説明する。
［タイルパネルの構造］
タイルパネル１は、図１（ａ）に示すように、構造用合板の下地パネル２と、下地パネル２に対して取り付けられた複数のタイル３とを備えている。また、下地パネル２の一部には、タイル３が取り付けられていない無タイル領域４が設けられている。
【００２７】
本実施形態において、各タイル３は、図１（ａ）に示すように正面側から見た場合に、それぞれの一辺が３２ｍｍの正方形に形成されたもので、そのような正方形のタイル３が、横方向へ２６個、縦方向へ２５個配列されている。
【００２８】
また、個々のタイル３の表面側５（下地パネル２側とは反対側）は、図１（ｂ）に示すように、それぞれが凹凸を有する形状となっている。この凹凸の形状は、同一形状では無いものが複数種類あり、上述した２６×２５個の配列内では、それら凹凸の形状が異なる複数種類のタイル３をランダムに混在させてある。
【００２９】
また、図１（ａ）中、タイル３が配設された２６×２５個の領域のうち、黒色で塗りつぶされている領域には、下地パネル２に対し着脱可能なタイル３ａ（以下、着脱型タイル３ａともいう。）が配設され、残りの領域には、下地パネル２に固着されたタイル３ｂ（以下、固着型タイル３ｂともいう。）が配設されている。
【００３０】
これらのうち、着脱型タイル３ａは、図１（ｃ）に示すように、着脱型タイル３ａの裏面側６（下地パネル２側）に雄型面ファスナ７ａを備えている。また、下地パネル２側には雌型面ファスナ７ｂが備えられており、これら一対の面ファスナ７ａ，７ｂにより、着脱型タイル３ａは、下地パネル２に対して着脱自在となっている。
【００３１】
下地パネル２において、雌型面ファスナ７ｂが設けられた領域８は、下地パネル２をビスで取付対象箇所に対して固定する際に、ビスを打ち込む領域として利用される（以下、雌型面ファスナ７ｂが設けられた領域８のことをビス打ち領域８とも称する。）。このビス打ち領域８にビスを打ち込んだ後、ビス打ち領域８に面ファスナ７ａ，７ｂを介して着脱型タイル３ａを貼り付ければ、着脱型タイル３ａによってビスを覆い隠すことができる。
【００３２】
なお、本実施形態において、タイル３としては、調湿機能や消臭機能を備える土壁タイル（株式会社ヤマセ製、製品名「純・II」）を利用している。この土壁タイルは、天然多孔質粘土系材料と消石灰をプレス成型し、その成型体を二酸化炭素と化学反応させることで硬化させたもので、焼成されていないため、天然多孔質粘土由来の微細孔が失われておらず、これにより、優れた調湿性能を発揮し、揮発性有機化合物（ＶＯＣ）の吸着性にも優れたものとなっている。
【００３３】
［タイルパネルの使用方法］
次に、タイルパネル１の使用方法について説明する。
タイルパネル１は、図２に示すように、タイルパネル１の裏面側９を柱１０ａ又は間柱１０ｂ（この例では、これら柱１０ａ及び間柱１０ｂが、本発明でいう取付対象箇所に相当。）に向けて配置される、このとき、タイルパネル１のビス打ち領域８は、柱１０ａ又は間柱１０ｂと重なる位置に配置される。
【００３４】
そして、この状態において、ビス打ち領域８に向かってビス１１を打ち込むと、ビス１１は下地パネル２を表面側から裏面側へと貫通し、ビス１１の先端が柱１０ａ又は間柱１０ｂに打ち込まれ、その結果、下地パネル２が柱１０ａ及び間柱１０ｂに固定されることになる。
【００３５】
下地パネル２がビス１１で固定された後は、図３に示すように、タイル３ａがビス打ち領域８に取り付けられ、ビス１１が覆い隠される。
なお、タイルパネル１に設けられた無タイル領域４は、タイルパネル１を設置する場所に合わせて事前に所用寸法にカットすることができる。すなわち、無タイル領域４のカット量を変えることで、タイルパネル１の寸法調整を行うことができる。
【００３６】
また、この無タイル領域４もビス打ち用の領域として利用可能で、無タイル領域４を柱１０ａ又は間柱１０ｂに重なる位置に配置し、柱１０ａ又は間柱１０ｂに対してビス打ちを行うことができる。
【００３７】
このようにして柱１０ａ又は間柱１０ｂに固定されるタイルパネル１は、複数枚のタイルパネル１を縦横に並べた状態にしてそれぞれを柱１０ａや間柱１０ｂに固定することにより、建物の内壁を構成することができる（図４及び図５参照。）。
【００３８】
このとき、無タイル領域４においてビス打ちを行うと、上述した着脱型タイル３ａでビス１１を覆い隠すことはできないが、この場合は、図６及び図７に示すように、クロス１２などを利用してビス１１を覆い隠せばよい。
【００３９】
このようにタイルパネルの周囲にある部分から無タイル領域４に至る範囲にわたって連続するクロス１２を貼り付ければ、無タイル領域４にあるビス１１やタイルパネル１とその周囲にある部分（例えば、モルタルボード等）との境界を覆い隠すことができる。
【００４０】
［効果］
以上のように構成されたタイルパネル１によれば、複数のタイル３を下地パネル２とともにまとめて一度に固定することができるので、同数のタイルをそれぞれ個別に壁面等に固定する作業を行う場合に比べ、作業性を向上させることができる。
【００４１】
また、ビス１１を利用して柱１０ａや間柱１０ｂに下地パネル２を固定できるので、モルタルや接着剤等は使用した場合とは異なり、取付け施工後の養生が不要である。したがって、より早期に次の作業工程に進むことができるので、作業の効率化を図ることができる。
【００４２】
さらに、タイル３が取り付けられている範囲においても、着脱型タイル３ａを取り外した箇所にはビス打ちを行うことができるので、タイルが取り付けられている範囲の周囲のみでビス留めをする場合と比較して、タイルパネル１の取り付け強度を向上させることができる。また、タイル３間に固定箇所が存在するものとは異なり、ビス１１が外観上見える状態のままにならないので、タイル３周りの見栄えを良好なものとすることができる。
【００４３】
しかも、面ファスナ７ａ，７ｂを利用して着脱型タイル３ａを自由に取り付けたり取り外したりできるので、タイル３ａについても、モルタルや接着剤を使う作業に比べ、取り付け作業が容易になり、また、必要があれば、モルタルや接着剤で固着されているものより取り外し作業も容易となり、初心者でも容易に作業を行うことができる。
【００４４】
さらに、タイル３の表面側５が凹凸を有する形状になっていて、これにより、複数のタイル３を配列した領域全体が、ランダムに出っ張ったり凹んだりした構造になっているので、着脱型タイル３ａが周囲の固着型タイル３ｂよりいくらか浮き上がっていたり沈み込んでいたりしても、周囲の固着型タイル３ｂと見栄えがあまり変わらないようにすることができる。
【００４５】
［変形例等］
以上、本発明の実施形態について説明したが、本発明は上記の具体的な一実施形態に限定されず、この他にも種々の形態で実施することができる。
【００４６】
例えば、上記実施形態において、タイルパネルの固定にはビスを使用したが、タイルパネルの表面側から裏面側へと貫通し、取付対象箇所に達することができる長さを有して固定することができるものであれば良く、釘やネジ等を使用してもよい。
【００４７】
また、タイルにおいては、大きさ、材質について示したが、それら大きさ、材質、形状、使用枚数については任意である。
また、上記実施形態では、複数通りの凹凸を有する形状のタイル３をランダムに配列することで、着脱型タイル３ａと固着型タイル３ｂの外観上の差異を目立たなくしてあったが（図１（ｂ）参照。）、この他、タイル３の厚さを複数通りに変更し、それら複数通りの厚さを有するタイル３をランダムに配列しても、同様の効果を期待することができる。
【００４８】
すなわち、個々のタイルで厚さが異なるため、着脱型タイル３ａが周囲のタイル３ｂよりいくらか浮き上がっていたり沈み込んでいたりしても、周囲のタイル３ｂと見栄えがあまり変わらないようにすることができる（図８参照。）。
【符号の説明】
【００４９】
１…タイルパネル、２…下地パネル、３…タイル、３ａ…タイル、３ａ…着脱型タイル、３ｂ…タイル、３ｂ…固着型タイル、４…無タイル領域、７ａ…雄型面ファスナ、７ｂ…雌型面ファスナ、１０ａ…柱、１０ｂ…間柱、１１…ビス、１２…クロス。
【図１】
2011252347.tif 000003
【図２】
2011252347.tif 000004
【図３】
2011252347.tif 000005
【図４】
2011252347.tif 000006
【図５】
2011252347.tif 000007
【図６】
2011252347.tif 000008
【図７】
2011252347.tif 000009
【図８】
2011252347.tif 000010